(57)【要約】【課題】ディスプレイに表示するための画像データを光無線送信ユニットから、ディスプレイ側に設けられた光無線受信ユニットに光無線送信する光無線通信システムにおいて、ディスプレイから出るパイロット光成分によるサーチの誤認を防ぎ、素早くサーチを完了する。【解決手段】送信ユニット２００は位置記憶手段２０７に受信ユニット１００とディスプレイ２の位置関係を記憶し、ディスプレイの位置より受信ユニットを先にサーチする。【選択図】　　　　図５
2004023523.tif 000002
【特許請求の範囲】
【請求項１】
ディスプレイに表示するための画像データを光無線送信ユニットから、前記ディスプレイ側に設けられた光無線受信ユニットに光無線送信する光無線通信システムであって、
前記光無線受信ユニットは、前記光無線送信ユニットが前記光無線受信ユニットとの光軸合わせを行うためのパイロット光を発光する手段を備え、
前記光無線送信ユニットは、あらかじめ全サーチ範囲をサーチした受光レベルの分布に基づいて前記ディスプレイと光無線受信ユニットの位置関係を記憶し、前記記憶された位置関係に基づいて前記ディスプレイの位置より先に前記光無線受信ユニットをサーチして前記光無線受信ユニットの方向への光軸合わせを行うサーチ制御手段を備えた光無線通信システム。
【発明の詳細な説明】
【０００１】
【発明の属する技術分野】
本発明は、ＶＴＲやＤＶＤプレーヤなどの画像再生装置により再生された画像信号をＴＶ受像機などのディスプレイに光無線送信するために好適な光無線通信システムに関し、特に光無線送信ユニットとディスプレイ側に設けられた光無線受信ユニットとの光軸合わせに関する。
【０００２】
【従来の技術】
この種の従来例として、例えば特開平６−２２４８５８号公報には天井に取り付けた光無線集配装置に対して、ＰＣ（パーソナルコンピュータ）などのステーションに接続された光無線端末がパン、チルトして集配装置から到来するパイロット光を頼りに集配装置との光軸合わせをサーボ手段により自動的に行うことにより光無線通信のリンクを確立する方法が提案されている。
【０００３】
【発明が解決しようとする課題】
ところで、ＶＴＲやＤＶＤプレーヤなどの画像再生装置により再生された画像データをＴＶ受像機などのディスプレイに光送信して表示するために、画像再生装置側、ディスプレイ側にそれぞれ光無線送信ユニット、光無線受信ユニットを設け、さらに受信ユニット側にパイロット光発光部を設けて送信ユニット側で上記のパン、チルトによるサーチで光軸合わせを行うシステムが考えられる。
【０００４】
しかしながら、前記の従来例では、パイロット光を発光する光無線集配装置が主に天井に取り付けられているため問題とならなかったが、上記のシステムでは、ディスプレイと受信ユニットのパイロット光発光部とが近接し、また、パイロット光として使用する信号周波数（数十ｋＨｚ）とディスプレイから出る水平周波数（ＮＴＳＣで１５．７３４ｋＨｚ、ＶＧＡで３１．５ｋＨｚやその高次成分など）が近いため、サーチの際、ディスプレイをパイロット光と誤認してしまう問題があった。
【０００５】
そこで本発明は、ディスプレイから出るパイロット光成分によるサーチの誤認を防ぐことができるとともに素早くサーチを完了することができる光無線通信システムを提供することを目的とする。
【０００６】
【課題を解決するための手段】
本発明は上記目的を達成するために、光無線送信ユニット側でディスプレイと光無線受信ユニットの位置関係をあらかじめ記憶して、ディスプレイの位置より先に光無線受信ユニットをサーチして光無線受信ユニットの方向への光軸合わせを行うようにしたものである。
【０００７】
すなわち本発明によれば、ディスプレイに表示するための画像データを光無線送信ユニットから、前記ディスプレイ側に設けられた光無線受信ユニットに光無線送信する光無線通信システムであって、
前記光無線受信ユニットは、前記光無線送信ユニットが前記光無線受信ユニットとの光軸合わせを行うためのパイロット光を発光する手段を備え、
前記光無線送信ユニットは、あらかじめ全サーチ範囲をサーチした受光レベルの分布に基づいて前記ディスプレイと光無線受信ユニットの位置関係を記憶し、前記記憶された位置関係に基づいて前記ディスプレイの位置より先に前記光無線受信ユニットをサーチして前記光無線受信ユニットの方向への光軸合わせを行うサーチ制御手段を備えた光無線通信システムが提供される。
【０００８】
【発明の実施の形態】
以下、図面を参照して本発明の実施の形態について説明する。図１は本発明に係る光無線通信システムの一実施形態を示す概略構成図、図２は図１の受信ユニットを詳しく示すブロック図、図３は図１の送信ユニットを詳しく示すブロック図、図４は従来のサーチ方法とそのＲＳＳＩレベルを示す説明図、図５は本発明のサーチ方法を示す説明図である。
【０００９】
本発明の光無線通信システムでは、図１に示すようにＶＴＲやＤＶＤプレーヤなどの画像再生装置１側に光無線送信ユニット（以下単に送信ユニットともいう）２００を設けるとともに、テレビやプロジェクター、ＰＤＰなどのディスプレイ２側に光無線受信ユニット（以下単に受信ユニットともいう）１００を設け、さらに受信ユニット１００側にパイロット光発光部を設けて送信ユニット側で光軸合わせを行う。
【００１０】
図２は本発明の受信ユニット１００の主要ブロック図である。受信ユニット１００には、送信ユニット２００と光無線通信を行うため、ＬＥＤなどの赤外線もしくはアイセーフなＬＤを利用した光送信手段１０１と、ＰＤ（フォトディテクタ）などによる光受信手段１０２を持ち、また、送られてきた画像データをディスプレイ２のビデオ入力端子などに出力して表示させる画像表示手段１０３を備えている。また、制御手段１０４では、送信ユニット２００から送られる画像データとサーチ終了時に光軸確認のため送られる通信テストパケットとを判別し、画像データであれば画像表示手段１０３へ、通信テストパケットであればその確認パケットを光送信手段１０１に送る。また、受信ユニット１００は、送信ユニット２００が受信ユニット１００との光軸を合わせるためのパイロット光発光手段１０５を備えている。
【００１１】
図３は本発明の送信ユニット２００の主要ブロック図である。送信ユニット２００には、受信ユニット１００と光無線通信を行うため、ＬＥＤなどの赤外線もしくはアイセーフなＬＤを利用した光送信手段２０１と、ＰＤなどによる光受信手段２０２を持ち、また、画像再生装置１のビデオ出力端子などからの画像データを受け取る画像受信手段２０３を備えている。また、送信ユニット２００には受信ユニット１００との光軸を合わせるため受信ユニット１００から送られてくるパイロット光を受信するパイロット光受信手段２０４と、パイロット光受信手段２０４からの光受信レベルを基に受信ユニット１００に対する光軸合わせを制御するサーチ制御手段２０５と、サーボ機構などにより送信ユニット２００の受信ユニット１００への方向に対して回転（パン、チルト）させるサーチ手段２０６を備えている。
【００１２】
また、送信ユニット２００は受信ユニット１００とディスプレイ２との位置関係を記憶しておく位置記憶手段２０７を備え、この位置関係によりサーチ手順を変えることでディスプレイ２の方向への誤ったサーチを防ぐとともに、素早くサーチを完了させることができる。位置記憶手段２０７への位置の登録は、ユーザがディップスイッチなどで受信ユニット１００のディスプレイ２に対する位置を上、下、右、左のように直接設定できるほか、テストパケットを用いたサーチ結果から類推・学習して記憶する。
【００１３】
図４（ａ）、（ｂ）はそれぞれ、例として受信ユニット１００がディスプレイ２の右側に設置されている場合における従来のサーチ方法とＲＳＳＩレベルを示す。ここで従来のサーチ方法について説明する。従来は一定のスタート位置からパン又はチルト方向にある角度毎（例えば２０度毎）に粗サーチを行い、ＲＳＳＩレベルが閾値以上の受信ポイントを探す。閾値より高い受信ポイントが見つかった後、そのポイントからよりＲＳＳＩレベルの高いポイントヘ４分割ＰＤなどを用いて密サーチを行い、ピークポイントを見つける。ピークポイントが見つかったらサーチ終了となる。
【００１４】
しかし、図４に示す受信ユニット１００とディスプレイ２の位置関係及び受信レベルの場合、従来方法では一定のスタート位置、方向でサーチするので、ディスプレイ２からの受信レベルが閾値を上回っており、最終的にディスプレイ２に光軸を合わせてしまうことになる。これを防ぐため、サーチ終了後にテストパケットによる通信確認を行うなど誤認を防ぐ手立てが必要となる。
【００１５】
図５は本発明におけるサーチ方法である。本発明では前記のような問題が起きないように、送信ユニット２００の位置記憶手段２０７に受信ユニット１００とディスプレイ２の位置関係を記憶しておき、受信ユニット１００を先にサーチするようにサーチのスタート位置、方向を変化させている。例えば図４で示した位置関係の場合、右から左へサーチすることでディスプレイ２をサーチすることなく、受信ユニット１００を確実にサーチすることができる。位置関係の記憶方法は、ユーザが直接ディップスイッチもしくはリモコンなどにより指定してもよいし、一度全周をサーチし受信レベルのマップを作り、そこから位置関係を判断して記憶してもよい。
【００１６】
【発明の効果】
以上説明したように本発明によれば、光無線送信ユニット側でディスプレイと光無線受信ユニットの位置関係をあらかじめ記憶して、ディスプレイの位置より先に光無線受信ユニットをサーチして光無線受信ユニットの方向への光軸合わせを行うようにしたので、ディスプレイから出るパイロット光成分によるサーチの誤認を防ぐことができるとともに素早くサーチを完了することができる。
【図面の簡単な説明】
【図１】本発明に係る光無線通信システムの一実施形態を示す概略構成図である。
【図２】図１の受信ユニットを詳しく示すブロック図である。
【図３】図１の送信ユニットを詳しく示すブロック図である。
【図４】従来のサーチ方法とそのＲＳＳＩレベルを示す説明図である。
【図５】本発明のサーチ方法を示す説明図である。
【符号の説明】
２　ディスプレイ
１００　光無線受信ユニット
１０５　パイロット光発光手段
２００　光無線送信ユニット
２０５　サーチ制御手段
２０６　サーチ手段
２０７　位置記憶手段
【図１】
2004023523.tif 000003
【図２】
2004023523.tif 000004
【図３】
2004023523.tif 000005
【図４】
2004023523.tif 000006
【図５】
2004023523.tif 000007